(57)【特許請求の範囲】
【請求項１】
区画体の貫通孔に挿通される長尺体を囲う状態で該長尺体の外周面との間で耐熱性充填材を保持するための矩形状保持枠部と、該矩形状保持枠部の全周囲から外方に張り出した矩形状フランジ部とが備えられているとともに、区画体に対する取付け部が前記矩形状フランジ部に備えられている貫通孔防火措置具であって、
前記矩形状フランジ部を構成する４つの側辺に沿う縁辺部のうち、一つの側辺に沿う縁辺部を備えたフランジ側分離部材が、当該フランジ側分離部材以外の矩形状フランジ部の残余の部分と前記矩形状保持枠部とからなる本体部材に対して着脱自在に構成され、前記フランジ側分離部材と前記本体部材における矩形状フランジ部の残余の部分との分離線が、前記矩形状保持枠部の４つの側辺に沿う縁辺部のうちの前記フランジ側分離部材と同じ側の一つの側辺に沿う縁辺部の外縁線に対して、前記フランジ側分離部材の縁辺部に隣接する２つの縁辺部の長手方向中央側に偏倚した位置に設けられ、前記本体部材からの前記フランジ側分離部材の取り外しに伴って生じる空間が、他の貫通孔防火措置具の矩形状フランジ部における一つの側辺に沿う縁辺部の進入を許す空間に構成されている貫通孔防火措置具。
【請求項２】
前記分離線が、前記矩形状保持枠部の４つの側辺に沿う縁辺部のうち、前記フランジ側分離部材と同じ側の一つの側辺に沿う縁辺部の外縁線から前記矩形状フランジ部の残余の部分における前記フランジ側分離部材とは反対側に位置する縁辺部の幅寸法以下の寸法分だけ前記隣接する２つの縁辺部の長手方向中央側に偏倚した位置に設けられている請求項１記載の貫通孔防火措置具。
【請求項３】
前記分離線が、前記矩形状保持枠部の４つの側辺に沿う縁辺部のうち、前記フランジ側分離部材と同じ側の一つの側辺に沿う縁辺部の外縁線から前記矩形状フランジ部の残余の部分における前記フランジ側分離部材とは反対側に位置する縁辺部の幅寸法と同じ寸法分だけ前記隣接する２つの縁辺部の長手方向中央側に偏倚した位置に設けられている請求項１記載の貫通孔防火措置具。
【請求項４】
前記矩形状保持枠部の４つの側辺に沿う縁辺部のうちの一部で構成される枠側分離部材が、当該枠側分離部材以外の前記矩形状保持枠部の残余の部分に対して着脱自在に構成されている請求項１〜３のいずれか１項に記載の貫通孔防火措置具。
【請求項５】
前記枠側分離部材を前記矩形状保持枠部の残余の部分に取付ける取付け手段が、前記フランジ側分離部材を前記本体部材に取付ける取付け手段に兼用する状態で備えられている請求項４記載の貫通孔防火措置具。
【請求項６】
前記取付け手段が、前記枠側分離部材を前記矩形状保持枠部の残余の部分に取付け、且つ、前記フランジ側分離部材を前記本体部材に取付けた状態からの取り外し操作に連れて、先ずは、前記フランジ側分離部材を前記本体部材から取り外し、その後、前記枠側分離部材を前記矩形状保持枠部の残余の部分から取り外すように構成されている請求項５記載の貫通孔防火措置具。
【請求項７】
一対の前記本体部材を連接姿勢に保持するための連結具が備えられている請求項１〜６のいずれか１項に記載の貫通孔防火措置具。
【請求項８】
前記フランジ側分離部材を前記本体部材に取付けるときに前記フランジ側分離部材を前記本体部材に対する所定取付け位置に案内するための案内手段が設けられている請求項１〜７のいずれか１項に記載の貫通孔防火措置具。
【請求項９】
前記案内手段が、前記フランジ側分離部材の表面部に突設された差し込み片部と、前記本体部材の底部に形成された差し込み口とから構成されている請求項８記載の貫通孔防火措置具。
【請求項１０】
前記矩形状保持枠部の外寸法が、前記貫通孔の内寸法よりも小に構成されているとともに、
前記矩形状フランジ部の表面部及び裏面部が、前記区画体の被取付け面に面接当可能な平坦面に構成されている請求項１〜９のいずれか１項に記載の貫通孔防火措置具。
【請求項１１】
請求項１〜１０のいずれか１項に記載の貫通孔防火措置具を用いた貫通孔防火措置構造であって、
前記区画体が、不燃性又は難燃性を有する板材を構造材の表側と裏側の少なくとも一方側に取付けて構成され、
前記貫通孔防火措置具が、前記板材と前記構造材との間に前記矩形状フランジ部が位置する状態で前記構造材に取付けられているとともに、
前記矩形状保持枠部を通じて前記貫通孔に挿通された長尺体の外周面と前記矩形状保持枠部との間に前記耐熱性充填材が充填されている貫通孔防火措置構造。
【請求項１２】
請求項１〜１０のいずれか１項に記載の貫通孔防火措置具を用いた貫通孔防火措置工法であって、
前記区画体の前記貫通孔の一部分を対象として、前記貫通孔防火措置具の取付け工程と前記長尺体の挿通工程と前記耐熱性充填材の充填工程とを行って、区画体の貫通孔の一部分に防火措置を施したのち、前記貫通孔の一部分に隣接する隣接部分を対象として、前記貫通孔の一部分に取付けた前記貫通孔防火措置具とは別の貫通孔防火措置具の取付け工程と前記長尺体の挿通工程と前記耐熱性充填材の充填工程とを行って前記貫通孔の隣接部分に防火措置を施す貫通孔防火措置工法。
【発明の詳細な説明】
【技術分野】
【０００１】
本発明は、冷媒管、ケーブル、給排水管等の長尺体を挿通させるために区画体に形成される貫通孔に対して防火措置を施すための貫通孔防火措置具、及び、貫通孔防火措置工法、並びに、貫通孔防火措置構造に関し、特に、円形や正方形等の一種の設備業者のための比較的小型の貫通孔と、複数種の設備業者のための長方形状等の比較的大型の貫通孔の双方の防火措置に用いることのできる貫通孔防火措置具、及び、貫通孔防火措置構造、並びに、貫通孔防火措置工法に関する。
【背景技術】
【０００２】
従来、この種の貫通孔防火措置具としては、一対の長辺分割枠と一対の短辺分割枠とを組付けることによって、区画体の貫通孔に挿通される長尺体を囲う状態で長尺体の外周面との間で耐熱性充填材を保持するための矩形状保持枠部と、該矩形状保持枠部の周囲から外方に張り出したフランジ部を備えさせたものがある（下記特許文献１参照）。
【０００３】
そして、この貫通孔防火措置具は、単独で比較的小型の貫通孔に対応し得る他、一方の短辺分割枠を取り外して平面視略コの字状とした一対の途中組立て部材を、それらの長辺分割枠の端面どうしが突き合う状態に組付けて単一の大型の開口を有する大型の措置具を構成することで、比較的大型の貫通孔にも対応し得る。
【先行技術文献】
【特許文献】
【０００４】
【特許文献１】特開２００３−２３９４２３号公報
【発明の概要】
【発明が解決しようとする課題】
【０００５】
ところが、複数種の設備業者が用いる比較的大型の貫通孔への対応として、単一の大型の開口を有する大型の措置具を構成する上記従来の技術では、以下（１）、（２）の問題がある。
【０００６】
（１）貫通孔防火措置具が複数種の設備業者の共通品となるため、当該措置具の購入・設置を行う設備業者、及び、最終的に耐熱性充填材を充填して防火措置を完成させる設備業者の決定が難しく、また、貫通孔の防火措置の品質に対する責任の所在も明確にし難い。
【０００７】
（２）貫通孔防火措置具の購入・設置を行う設備業者と、貫通孔に長尺体を挿通するだけの設備業者と、貫通孔の防火措置を行う設備業者との間で作業順序が生じるため、設備業者間で作業タイミングを調整しなければならない面倒がある。
【０００８】
一方、上記の問題を解消するのに、短辺側部材を取り外さずに矩形状保持枠部は維持させた状態の一対の貫通孔防火措置具どうしを貫通孔の長手方向に沿って連接することも考えられるが、その場合、貫通孔防火措置具どうしの隣接端面間に各々の短辺分割枠のフランジ部が存在するため、貫通孔への占有面積が大きくて効率的でない。
【０００９】
本発明は、上述の実状に鑑みて為されたものであって、その主たる課題は、比較的大型の貫通孔に対しても複数の設備業者の各々が購入・設置・防火措置に至る長尺体の挿通に係る一連の工程を行うことができるとともに、貫通孔の開口面積を効率的に活用し得る貫通孔防火措置具、及び、貫通孔防火措置構造、並びに、貫通孔防火措置工法を提供する点にある。
【課題を解決するための手段】
【００１０】
本発明の第１特徴構成は、貫通孔防火措置具に係り、その特徴は、
区画体の貫通孔に挿通される長尺体を囲う状態で該長尺体の外周面との間で耐熱性充填材を保持するための矩形状保持枠部と、該矩形状保持枠部の全周囲から外方に張り出した矩形状フランジ部とが備えられているとともに、区画体に対する取付け部が前記矩形状フランジ部に備えられている貫通孔防火措置具であって、
前記矩形状フランジ部を構成する４つの側辺に沿う縁辺部のうち、一つの側辺に沿う縁辺部を備えたフランジ側分離部材が、当該フランジ側分離部材以外の矩形状フランジ部の残余の部分と前記矩形状保持枠部とからなる本体部材に対して着脱自在に構成され、前記フランジ側分離部材と前記本体部材における矩形状フランジ部の残余の部分との分離線が、前記矩形状保持枠部の４つの側辺に沿う縁辺部のうちの前記フランジ側分離部材と同じ側の一つの側辺に沿う縁辺部の外縁線に対して、前記フランジ側分離部材の縁辺部に隣接する２つの縁辺部の長手方向中央側に偏倚した位置に設けられ、前記本体部材からの前記フランジ側分離部材の取り外しに伴って生じる空間が、他の貫通孔防火措置具の矩形状フランジ部における一つの側辺に沿う縁辺部の進入を許す空間に構成されている点にある。
【００１１】
上記構成によれば、前記矩形状フランジ部を構成する４つの縁辺部のうち、少なくとも１つの縁辺部の一部又は全部或いは該縁辺部を含む部分が、矩形状フランジ部の残余の部分と前記矩形状保持枠部とからなる本体部材に対して着脱自在なフランジ側分離部材から構成されているから、複数種の設備業者が施工する比較的大型の貫通孔に対しては、フランジ側分離部材を取り外した状態の本体部材の分離側を他の本体部材に対して連接することで、設備業者が長尺体の挿通に係る一連の工程を行い得るように矩形状保持枠部は維持しながらも、前記フランジ側分離部材を取り外す分だけ貫通孔への占有面積を小さくすることができ、貫通孔の開口面積を効率的に活用することができる。
【００１３】
前記矩形状フランジ部の１つの縁辺部に隣接する２つの縁辺部の一部も前記フランジ側分離部材に含めるから、フランジ側分離部材を取り外したときに２つの隣接縁辺部の一部も本体部材側から分離させることができ、その分、フランジ側分離部材を取り外した状態の本体部材の分離側を他の本体部材に連接したときの貫通孔への占有面積を小さくすることができる。
【００１４】
本発明の第２特徴構成は、第１特徴構成の実施に好適な構成であり、その特徴は、
前記分離線が、前記矩形状保持枠部の４つの側辺に沿う縁辺部のうち、前記フランジ側分離部材と同じ側の縁辺部の外縁線から前記矩形状フランジ部の残余の部分における前記フランジ側分離部材とは反対側に位置する縁辺部の幅寸法以下の寸法分だけ前記隣接する２つの縁辺部の長手方向中央側に偏倚した位置に設けられている点にある。
【００１５】
上記構成によれば、前記分離線が、前記矩形状保持枠部の４つの縁辺部のうちの前記フランジ側分離部材の側の縁辺部の外縁線から前記矩形状フランジ部における前記フランジ側分離部材に相対向する縁辺部の幅寸法以下の寸法分だけ該縁辺部の側に偏倚した位置に設けられているから、フランジ側分離部材を取り外した状態の本体部材の矩形状フランジ部の分離端面と、他の本体部材の矩形状フランジ部の非分離側の縁辺部の端面とを接当させる状態で、且つ、フランジ側分離部材を取り外した状態の本体部材における矩形状保持枠部のフランジ分離側の一部分を他の本体部材の矩形状フランジ部の非分離側の縁辺部に重ねる状態で、しかも、他の本体部材の矩形状フランジ部の非分離側の縁辺部で両本体部材の矩形状保持枠部どうしの間の隙間を塞ぐ状態で、フランジ側分離部材を取り外した状態の本体部材と他の本体部材とを連接することができる。
【００１６】
すなわち、上記構成によれば、先ず、フランジ側分離部材を取り外した状態の本体部材の矩形状フランジ部の分離端面と、他の本体部材の矩形状フランジ部の非分離側の縁辺部の端面とを接当させる状態で、フランジ側分離部材を取り外した状態の本体部材と他の本体部材とを連接することができるから、両本体部材を連接姿勢にし易く、また、その連結姿勢を保ち易くすることができるとともに、連接時において両本体部材の矩形状フランジ部どうしの間に防火性能の低下を招く隙間が生じるのを抑止することができる。
【００１７】
また、フランジ側分離部材を取り外した状態の本体部材における矩形状保持枠部のフランジ分離側の一部分を他の本体部材の矩形状フランジ部の非分離側の縁辺部に重ねる状態で、フランジ側分離部材を取り外した状態の本体部材と他の本体部材とを連接することができるから、両本体部材どうしの重ね分だけ両本体部材の連接時の貫通孔への占有面積を小さくすることができる。
【００１８】
さらに、他の本体部材の矩形状フランジ部の非分離側の縁辺部で両本体部材の矩形状保持枠部どうしの間の隙間を塞ぐ状態で、フランジ側分離部材を取り外した状態の本体部材と他の本体部材とを連接することができるから、連接時において両本体部材の矩形状保持枠部どうしの間に防火性能の低下を招く隙間が生じるのを抑止することができる。
【００１９】
本発明の第３特徴構成は、第１特徴構成の実施に好適な構成であり、その特徴は、
前記分離線が、前記矩形状保持枠部の４つの側辺に沿う縁辺部のうち、前記フランジ側分離部材と同じ側の縁辺部の外縁線から前記矩形状フランジ部の残余の部分における前記フランジ側分離部材とは反対側に位置する縁辺部の幅寸法と同じ寸法分だけ前記隣接する２つの縁辺部の長手方向中央側に偏倚した位置に設けられている点にある。
【００２０】
上記構成によれば、前述の第３特徴構成で述べた作用効果を得ることができるとともに、フランジ側分離部材を取り外した状態の本体部材と他の本体部材とを連接するとき、フランジ側分離部材を取り外した状態の本体部材の矩形状フランジ部の分離端面と、他の本体部材の矩形状フランジ部の非分離側の縁辺部の端面との接当に加えて、両本体部材の矩形状保持枠部の対向端面どうしも接当させることができるから、その分、両本体部材の連接時の接当面積を大きくすることができ、両本体部材を更に連接姿勢にし易く、また、その連接姿勢を更に保ち易くすることができる。
【００２１】
本発明の第４特徴構成は、第１〜第３特徴構成のいずれかの実施に好適な構成であり、その特徴は、
前記矩形状保持枠部の４つの側辺に沿う縁辺部のうち、前記フランジ側分離部材と同じ側の縁辺部の一部又は全部或いは該縁辺部とそれに隣接する部分で構成される枠側分離部材が、当該枠側分離部材以外の前記矩形状保持枠部の残余の部分に対して着脱自在に構成されている点にある。
【００２２】
上記構成によれば、フランジ側分離部材と枠側分離部材を取り外すことで矩形状保持枠部に対して横側方からの進入を許す空間を形成することができるから、その空間形成によって貫通孔に対する取付け時に既に長尺体が挿通されている場合でも矩形状保持枠部の内部に長尺体を配置することが可能になる。
【００２３】
しかも、フランジ側分離部材の取り外しにより生じる空間を利用して矩形状保持枠部に対して横側方からの進入を許す空間を形成するから、例えば、本体部材におけるフランジ側分離部材とは全く異なる箇所に該空間を形成するための分離部材（つまり、矩形状保持枠の一部と矩形状フランジ部の一部からなる分離部材）を構成するのに比べ、矩形状保持枠部に対して横側方からの進入を許す空間を効率的に形成することができる。
【００２４】
本発明の第５特徴構成は、第４特徴構成の実施に好適な構成であり、その特徴は、前記枠側分離部材を前記矩形状保持枠部の残余の部分に取付ける取付け手段が、前記フランジ側分離部材を前記本体部材に取付ける取付け手段に兼用する状態で備えられている点にある。
本発明の第６特徴構成は、第５特徴構成の実施に好適な構成であり、その特徴は、
前記取付け手段が、前記枠側分離部材を前記矩形状保持枠部の残余の部分に取付け、且つ、前記フランジ側分離部材を前記本体部材に取付けた状態からの取り外し操作に連れて、先ずは、前記フランジ側分離部材を前記本体部材から取り外し、その後、前記枠側分離部材を前記矩形状保持枠部の残余の部分から取り外すように構成されている点にある。
【００２５】
上記構成によれば、前記枠側分離部材を前記本体部材における残余の部分に取付ける取付け手段と、前記フランジ側分離部材を前記本体部材に取付ける取付け手段とが別々に備えられている場合に比べて、部品点数の削減化や構造の簡素化を図ることができる。しかも、取付け手段の取り外し操作によって枠側分離部材を備えた本体部材からフランジ側分離部材だけを取り外すことができるから、比較的大型の貫通孔への対応時に本体部材どうしの連接作業を容易に行うことができる。
【００２６】
本発明の第７特徴構成は、第１〜第６特徴構成のいずれかの実施に好適な構成であり、その特徴は、
一対の前記本体部材を連接姿勢に保持するための連結具が備えられている点にある。
【００２７】
上記構成によれば、一対の前記本体部材を連接姿勢に保持するための連結具が備えられているから、設備業者毎の施工を要しない現場などの事情に応じて、前記連結具により搬入や施工のし易い連結状態とすることができる。
【００２８】
本発明の第８特徴構成は、第１〜第７特徴構成のいずれかの実施に好適な構成であり、その特徴は、
前記フランジ側分離部材を前記本体部材に取付けるときに前記フランジ側分離部材を前記本体部材に対する所定取付け位置に案内するための案内手段が設けられている点にある。
【００２９】
上記構成によれば、前記案内手段によって前記フランジ側分離部材を前記本体部材に対する所定取付け位置に容易に位置させることができるから、本体部材に対してフランジ側分離部材を容易に取付けることができる。
【００３０】
本発明の第９特徴構成は、第８特徴構成の実施に好適な構成であり、その特徴は、
前記案内手段が、前記フランジ側分離部材の表面部に突設された差し込み片部と、前記本体部材の底部に形成された差し込み口とから構成されている点にある。
【００３１】
上記構成によれば、例えば、前記案内手段が、前記本体部材の底部に突設された差し込み片部と、前記フランジ側分離部材に形成された差し込み口とから構成されている場合に比べ、本体部材とフランジ側分離部材とを取付けた状態での外形寸法を小さくしながら、前記本体部材の底部に形成された差し込み口に対して前記フランジ側分離部材の差し込み片部を表側に向かって差し込むことで差し込み片部の長さ分の案内作用を得ることができる。
【００３２】
本発明の第１０特徴構成は、第１〜第９特徴構成のいずれかの実施に好適な構成であり、その特徴は、
前記矩形状保持枠部の外寸法が、前記貫通孔の内寸法よりも小に構成されているとともに、
前記矩形状フランジ部の表面部及び裏面部が、前記区画体の被取付け面に面接当可能な平坦面に構成されている点にある。
【００３３】
上記構成によれば、前記矩形状保持枠部の外寸法が前記貫通孔の内寸法よりも小に構成されているから、矩形状保持枠部が矩形状フランジ部に対して区画体表側に位置する取付け形態と、矩形状保持枠部が矩形状フランジ部に対して貫通孔側に位置する取付け形態（つまり、矩形状フランジ部が貫通孔内に位置する取付け形態）とを選択的に採用することができる。
【００３４】
しかも、矩形状フランジ部の表面部及び裏面部が区画体の被取付け面に面接当可能な平坦面に構成されているから、上記のいずれの取付け形態を採用した場合でも、矩形状フランジ部と区画体の被取付け面との間に防火性能の低下を招く隙間を生じるのを抑止することができる。
【００３５】
本発明の第１１特徴構成は、第１〜第１０特徴構成のいずれかの貫通孔防火措置具を用いた貫通孔防火措置構造であって、
前記区画体が、不燃性又は難燃性を有する板材を構造材の表側と裏側の少なくとも一方側に取付けて構成され、
前記貫通孔防火措置具が、前記板材と前記構造材との間に前記矩形状フランジ部が位置する状態で前記構造材に取付けられているとともに、
前記矩形状保持枠部を通じて前記貫通孔に挿通された長尺体の外周面と前記矩形状保持枠部との間に前記耐熱性充填材が充填されている点にある。
【００３６】
上記構成によれば、前記貫通孔防火措置具が、前記板材と前記構造材との間に前記矩形状フランジ部が位置する状態で前記構造材に取付けられているから、防火性能の面で弱点になり易い矩形状フランジ部の取付け部を不燃性又は難燃性を有する板材で被覆する形態でその取付け部の防火性能を高めることができる。
【００３７】
しかも、構造体に対する板材の取付け作業を行う前に前記貫通孔防火措置具を取付けることができるから、構造体に対する板材の取付け前に行う内部配管作業や内部配線作業に併せて、貫通孔防火措置具の設置・長尺体の挿通・貫通孔の防火措置などの貫通孔部分に関する作業を行うことが可能になって、設備業者の施工能率を大幅に高めることができる。
【００３８】
本発明の第１２特徴構成は、第１〜第１０特徴構成のいずれかの貫通孔防火措置具を用いた貫通孔防火措置工法であって、
前記区画体の前記貫通孔の一部分を対象として、前記貫通孔防火措置具の取付け工程と前記長尺体の挿通工程と前記耐熱性充填材の充填工程とを行って、区画体の貫通孔の一部分に防火措置を施したのち、前記貫通孔の一部分に隣接する隣接部分を対象として、前記貫通孔の一部分に取付けた前記貫通孔防火措置具とは別の貫通孔防火措置具の取付け工程と前記長尺体の挿通工程と前記耐熱性充填材の充填工程とを行って前記貫通孔の隣接部分に防火措置を施す点にある。
【００３９】
つまり、上記構成によれば、前記区画体の前記貫通孔の一部分を対象として、前記貫通孔防火措置具の取付け工程と前記長尺体の挿通工程と前記耐熱性充填材の充填工程とを行って、区画体の貫通孔の一部分に防火措置を施すことにより、先ず、区画体の貫通孔の一部分について長尺体の挿通に係る一連の工程を完了することができる。
【００４０】
次に、前記貫通孔の一部分に隣接する隣接部分を対象として、前記貫通孔の一部分に取付けた前記貫通孔防火措置具とは別の貫通孔防火措置具の取付け工程と前記長尺体の挿通工程と前記耐熱性充填材の充填工程とを行って前記貫通孔の隣接部分に防火措置を施すことにより、前記貫通孔の隣接部分について長尺体の挿通に係る一連の工程を完了することができる。
【００４１】
すなわち、上記構成によれば、複数種の設備業者の各々が、区画体の貫通孔の一部分を対象とする形態で長尺体の挿通に係る一連の工程を他の設備業者に影響されずに各自で能率良く完了させることができる。
【図面の簡単な説明】
【００４２】
【図１】貫通孔防火措置具の斜視図
【図２】貫通孔防火措置具の正面図
【図３】貫通孔防火措置具の背面図
【図４】貫通孔防火措置具の分解図
【図５】複数の貫通孔防火措置具の組付け状態を示す分解図
【図６】図３のＶＩ−ＶＩ線断面図
【図７】図３のＶＩＩ−ＶＩＩ線断面図
【図８】図３のＶＩＩＩ−ＶＩＩＩ線断面図
【図９】貫通孔防火措置構造を示す断面図
【図１０】貫通孔防火措置具の使用例を示す説明図
【図１１】貫通孔防火措置具の使用例を示す説明図
【図１２】貫通孔防火措置具の別実施形態を示す説明図
【図１３】別実施形態の貫通孔防火措置具の使用例を示す説明図
【発明を実施するための形態】
【００４３】
図１〜図８は、冷媒管、ケーブル、給排水管等の長尺体Ｐの壁体（区画体の一例）Ｗへの挿通箇所に対して防火措置を施すのに用いられる貫通孔防火措置具Ｔを示す。この貫通孔防火措置具Ｔには、図１〜図３に示すように、壁体Ｗの貫通孔Ｈに挿通される長尺体Ｐを囲う状態で該長尺体Ｐの外周面との間において耐熱性と熱膨張性を有するパテ状等の耐熱性充填材Ｊを保持するための矩形状保持枠部１と、該矩形状保持枠部１の全周囲から外方に張り出した矩形状フランジ部２とが備えられている（長尺体Ｐ、壁体Ｗ、貫通孔Ｈ、耐熱性充填材Ｊは図９〜図１２を参照）。
【００４４】
前記矩形状保持枠部１は、正面視で矩形状に連なる外周壁部１Ａと、該外周壁部１Ａの表側端から内向きに突出するフランジ状の天井壁部１Ｂと、該外周壁部１Ａの裏側端から内向きに突出するフランジ状の底壁部１Ｃとから構成されている。
【００４５】
つまり、矩形状保持枠部１は耐熱性充填材Ｊの外周側を前記底壁部１Ｃと天井壁部１Ｂの間で保持する状態で耐熱性充填材Ｊの全体を矩形状保持枠部１内に保持し得るように構成されている。
【００４６】
また、図１、図３、図４、図７に示すように、前記矩形状保持枠部１の底壁部１Ｃの複数箇所（本例では、壁体Ｗに対する取付け状態で上方に位置する箇所と下方に位置する箇所）には、切り欠き（案内口の一例）１ａが形成されている。当該切り欠き１ａは、火災時に矩形状保持部１内の耐熱性充填材Ｊが熱膨張するとき、耐熱性充填材Ｊの一部を貫通孔Ｈの奥側に膨張案内する。
【００４７】
前記矩形状フランジ部２の表面及び裏面は、壁体Ｗの外面等の被取付け面に面接当可能な平坦面に形成されているとともに、該矩形状フランジ部２の外周縁部には、取付けビス９（取付け手段の一例）によって壁体Ｗの被取付け面に貫通孔防火措置具Ｔを取付けるための複数の取付け孔（取付け部の一例）２ａが形成されている（取付けビス９は図９〜図１２を参照）。
【００４８】
そのため、この貫通孔防火措置具Ｔは、図９（ａ）、（ｃ）に示すように、矩形状保持枠部１が矩形状フランジ部２に対して壁表側に位置する取付け形態と、図９（ｂ）、（ｄ）に示すように、矩形状保持枠部１が矩形状フランジ部２に対して貫通孔Ｈ側に位置する取付け形態とを選択的に採用することができる。
【００４９】
そして、この貫通孔防火措置具Ｔは、図４、図５に示すように、矩形状フランジ部２の４つの縁辺部２ｂ、２ｃ、２ｄ、２ｅのうちの１つの縁辺部２ｂとそれに隣接する縁辺部２ｃ、２ｅの一部分からなる板金製のフランジ側分離部材３と、該矩形状フランジ部２の残余の部分と矩形状保持枠部１とからなる板金製の本体部材４とから構成されている。当該本体部材４とフランジ側分離部材３とは、取付けネジ５（取付け手段の一例）を介して着脱自在に構成されている。
【００５０】
つまり、この貫通孔防火措置具Ｔは、例えば、図１０に示すように、一種の設備業者が長尺体Ｐを挿通させるための比較的小型の貫通孔Ｈに対しては単独で使用可能で、且つ、図１１（ｂ）、図１２（ｂ）に示すように、複数種の設備業者が長尺体Ｐを挿通させるための比較的大型の横長の貫通孔Ｈに対しては、フランジ側分離部材３を取り外した状態で複数個を連設して使用可能に構成されている。
【００５１】
図１、図３、図６、図７に示すように、前記本体部材４は、矩形状保持枠部１を構成する枠部材６の底壁部の裏面と、矩形状フランジ部２の残余の部分を構成する正面視コの字状の板状のフランジ主部材７の表面内周縁部とを重合状態で固着して構成されている。
【００５２】
本実施形態では、前記枠部材６の底壁部の複数箇所に形成した係止孔に対して、フランジ主部材７の表面内周縁部から上方に向かって折り曲げ形成した複数の係止片７ａの各々を差し込んでかしめることにより、枠部材６とフランジ主部材７とが固着されている。
【００５３】
図４、図５に示すように、前記枠部材６は、矩形状保持枠部１の４つの縁辺部１ｂ〜１ｅのうちの１つの縁辺部１ｂを構成する枠側分離部材６Ａと、矩形状保持枠部１の残りの縁辺部１ｃ〜１ｅを構成する正面視コの字状の枠主部材６Ｂとに分割構成されている。当該枠主部材６Ｂと枠側分離部材６Ａとは、前述した取付けネジ５によって着脱自在に構成されている。
【００５４】
図４、図５、図８に示すように、前記枠側分離部材６Ａの長手方向両端部には、前記取付けネジ５が螺合するネジ孔６ａを備えた取付け片６ｂが内向きに折り曲げ形成されている。また、前記枠主部材６Ｂ側の相対向する一対の縁辺部１ｃ、１ｅの先端側には、外部から前記取付けネジ５を挿通させるための挿通孔６ｃが形成されている。
【００５５】
つまり、前記枠主部材６Ｂ側の相対向する一対の縁辺部１ｃ、１ｅ間に枠側分離部材６Ａを挿入配置した状態で、前記挿通孔６ｃを通じて前記取付けネジ５を前記枠側分離部材６Ａのネジ孔６ａに螺入させることにより、前記枠主部材６Ｂと前記枠側分離部材６Ａとが取り付け可能に構成されている。
【００５６】
また、前記枠側分離部材６Ａの底壁部における長手方向両端側には、本体部材４に対して取付けた状態においてフランジ側分離部材３に形成された差し込み片部３ａの各々が差し込み可能な差し込み口を現出するための切り欠き６ｄが形成されている。
【００５７】
図２〜図５に示すように、前記フランジ側分離部材３は、矩形状フランジ部２の１つの縁辺部２ｂを構成する帯状の基材３Ａの両端部の一側方に、矩形状フランジ部２の２つの縁辺部２ｃ、２ｅの一部を構成するための突片部３ｂを形成して構成されている。
【００５８】
図５、図６、図８に示すように、当該両突片部３ｂの相対向する辺部の各々には、前記差し込み片部３ａが基材３Ａに対して直交する状態で表側に向かって折り曲げ形成されているとともに、差し込み片部３ａの上端側には、前述した取付けネジ５でもって本体部材４に対して取付けるためのネジ孔３ｃ（被取付け部の一例）が形成されている。
【００５９】
前記差し込み片部３ａのネジ孔３ｃは、図８に示すように、本体部材４に対する取付け位置において、差し込み片部３ａの外周面と差し込み口の内周面との接当、及び、基材３Ａの表面と本体部材４側の枠部材の裏面との接当、並びに、基材３Ａの突片部３ｂの先端面と本体部材４側の矩形状フランジ部の分離端面１２との接当により、本体部材４側の枠側分離部材６Ａのネジ孔６ａの内側に位置するように構成されている。
【００６０】
つまり、当該差し込み片部３ａのネジ孔３ｃに対して、前記枠主部材６Ｂの挿通孔６ｃ、及び、枠側分離部材６Ａのネジ孔６ａを通じて前記取付けネジ５を螺入させることにより、前記本体部材４にフランジ側分離部材３が取り付け可能に構成されている。
【００６１】
そのため、前記取付けネジ５の取り外し操作の初期段階で、枠側分離部材６Ａを本体部材４から取り外すことなく、フランジ側分離部材３のみを本体部材４から取り外すことができ、比較的大型の貫通孔Ｈへの対応時の本体部材４どうしの連結作業を容易に行うことができる。
【００６２】
図２に示すように、矩形状フランジ部２を構成する４つの側辺に沿う縁辺部２ｂ〜２ｅのうち、一つの側辺に沿う縁辺部２ｂを備えたフランジ側分離部材３が、当該フランジ側分離部材３以外の矩形状フランジ部２の残余の部分と矩形状保持枠部１とからなる本体部材４に対して着脱自在に構成され、フランジ側分離部材３と本体部材４における矩形状フランジ部２の残余の部分との分離線Ｌ１が、矩形状保持枠部１の４つの側辺に沿う縁辺部１ｂ〜１ｅのうちのフランジ側分離部材３と同じ側の一つの側辺に沿う縁辺部１ｂの外縁線Ｌ２に対して、フランジ側分離部材３の縁辺部２ｂに隣接する２つの縁辺部２ｃ、２ｅの長手方向中央側に偏倚した位置に設けられている。
つまり、前記フランジ側分離部材３と前記フランジ主部材７との分離線Ｌ１は、フランジ側分離部材３を本体部材４に対して取付けた状態で、矩形状保持枠部１におけるフランジ側分離部材３の側の縁辺部１ｂの外縁線Ｌ２よりも矩形状フランジ部２におけるフランジ側分離部材３とは反対側の位置、具体的には、当該外縁線Ｌ２から矩形状フランジ部２におけるフランジ側分離部材３とは反対側の縁辺部２ｄの幅寸法ｗと同じ寸法（幅寸法ｗ以下の寸法の一例）だけ内方側に偏倚した位置に形成されている。
【００６３】
そのため、図１１に示すように、一対の貫通孔防火措置具Ｔについて、一方側貫通孔防火措置具Ｔの矩形状保持枠部１の縁辺部１ｄの外面と、フランジ側分離部材３を取り外した他方側貫通孔防火措置具Ｔの矩形状保持枠部１の縁辺部１ｂの外面とを面接当させた状態で、且つ、一方側貫通孔防火措置具Ｔの矩形状フランジ部の縁辺部２ｄの端面と他方側貫通孔防火措置具Ｔの矩形状フランジ部２の分離端面１２とを面接当させた状態で連接することができ、しかも、連接状態において両貫通孔防火措置具Ｔの矩形状保持枠部１どうしの隣接箇所の裏側に、一方側貫通孔防火措置具Ｔの矩形状フランジ部２の縁辺部２ｄを位置させることができる。
【００６４】
また、矩形状保持枠部１の縁辺部１ｃ、１ｅの縁辺部１ｄ側には、板金製の連結具８（連結手段の一例）でもって一対の貫通孔防火措置具Ｔ、Ｔを引き寄せ連結するための連結用の被係止孔１ｆ（被連結部の一例）が形成されている。
【００６５】
前記連結具８の一端側には、斜め他端側に向かって突出する係止片８ａが切り起し形成されている。また、連結具８の他端側には、連接させる貫通孔防火措置具Ｔの本体部材４側のネジ孔６ａに前述した取付けネジ５を螺合させるための挿通孔８ｂが形成されている。
【００６６】
つまり、連結具８の係止片８ａを一方側貫通孔防火措置具Ｔの連結用の被係止孔１ｆに係入させた状態で、連結具８の挿通孔８ｂ及び他方側貫通孔防火措置具Ｔの挿通孔６ｃを通じて他方側貫通孔防火措置具Ｔのネジ孔６ａに取付けネジ５を螺入することにより、一対の貫通孔防火措置具Ｔ、Ｔを連結一体化し得るように構成されている。
【００６７】
上述の如く構成された貫通孔防火措置具Ｔは、例えば、壁体Ｗが金属製等のスタッド１０（構造材の一例）に石膏ボード等の難燃性又は不燃性の１又は複数枚の板材１１を貼り付けて構成されている場合において、図９（ａ）、（ｂ）に示すように、前記板材１１の表面（被取付け面の一例）に取付けたり、図９（ｃ）、（ｄ）に示すように、スタッド１０と板材１１との間に矩形状フランジ部２を位置させる状態でスタッド１０の表面（被取付け面）に取付けたりすることができる。
【００６８】
図９（ｃ）、（ｄ）に示すように、スタッド１０と板材１１との間に矩形状フランジ部２を位置させる状態で貫通孔防火措置具Ｔを取付ければ、矩形状フランジ部２の取付け孔２ａ部分を板材１１で被覆することができるため、高い防火性能を得ることができるとともに、板材１１を取付ける前に行われる配線・配管工程に併せて貫通孔Ｈの防火措置工程をも行うことができるため、高い施工性も得ることができる。
【００６９】
なお、前記差し込み片部３ａと前記差し込み口は、フランジ側分離部材３を本体部材４に取付けるときにフランジ側分離部材３を本体部材４に対する所定取付け位置に案内するための案内手段を構成する。
【００７０】
次に、複数種の設備業者が比較的大型の横長矩形状の貫通孔Ｈに対して複数の貫通孔防火措置具Ｔで防火措置を施す手順を説明する。
【００７１】
図９（ａ）、（ｃ）に示すように、前記矩形状保持枠部１が矩形状フランジ部２に対して壁表側に位置する取付け形態を採る場合について説明する。
【００７２】
図１１（ａ）に示すように、最初に長尺体Ｐを挿通させる設備業者は、横長矩形状の貫通孔Ｈの端部を自身の施工エリアとし、貫通孔閉塞冶具Ｔの取付け作業、及び、長尺体Ｐの挿通作業、並びに、耐熱性充填材Ｊの充填作業を行って、長尺体Ｐの挿通から防火措置に至るまでの一連の施工を完了させる。
【００７３】
次に長尺体Ｐを挿通させる設備業者は、施工済みの貫通孔防火措置具Ｔの隣接エリアを施工エリアとし、施工済みの貫通孔防火措置具Ｔに対して本体部材４を連接させる状態で本体部材４を壁体Ｗに取り付けるとともに、長尺体Ｐの挿通作業、並びに、耐熱性充填材Ｊの充填作業を行って、長尺体の挿通から防火措置に至るまでの一連の施工を完了させる。
【００７４】
更に、その次に長尺体Ｐを挿通させる設備業者も上記と同様の方法でもって長尺体Ｐの挿通から防火措置までの一連の施工を完了させ、図１１（ｂ）に示す如き区画体Ｗの貫通孔防火措置構造が出来上がる。なお、隣接する貫通孔防火措置具Ｔどうしを強固に連結する必要がある場合は、適宜、前記連結具８でもって隣接する貫通孔防火措置具Ｔどうしを連結する。
【００７５】
一方、図９（ｂ）、（ｄ）に示すように、前記矩形状保持枠部１が矩形状フランジ部２に対して壁表側に位置する取付け形態を採る場合は、図１２（ａ）に示すように、後から施工する設備業者が施工済みの貫通孔防火措置具Ｔに本体部材１を連接し得るように、先の設備業者が貫通孔防火措置具Ｔのフランジ側分離部材３を取り外しておく。それ以外は、上述した矩形状保持枠部１が矩形状フランジ部２に対して壁表側に位置する取付け形態を採る場合と同様である。各設備業者が長尺体Ｐの挿通から防火措置までの一連の施工を順次に完了させ、図１２（ｂ）に示す如き区画体Ｗの貫通孔防火措置構造が出来上がる。
【００７６】
［別実施形態］
（１）前述の実施形態では、フランジ側分離部材３が１つである場合を例に示したが、フランジ側分離部材３は複数であってもよく、例えば、図１３（ａ）に示すように、本体部材４の連結方向の両端側に、取付け片３ｅを有するフランジ側分離部材３が設けられていてもよい。この場合、図１３（ｂ）に示すように、連結方向の端側の貫通孔防火措置具Ｔは一方だけフランジ側分離部材３を取り外し、連結方向の中間位置の貫通孔防火措置具Ｔは両方のフランジ側分離部材３を取り外すことにより、複数の貫通孔防火措置具Ｔを効率的に連接することができる。
【００７７】
（２）前述の実施形態では、矩形状フランジ部２の１つの縁辺部とそれに隣接する部分がフランジ側分離部材３として分離可能に構成されている場合を例に示したが、隣接する部分を有しない１つの縁辺部の一部又は全部がフランジ側分離部材３として分離可能に構成されていてもよい。
【００７８】
（３）前述の実施形態で示した貫通孔防火措置具Ｔの使用に当たって、矩形状保持枠部１の底壁部１Ｃに載置可能な板状で中央に長尺体挿通用の開口部を有した充填材受け部材を適宜に設けることができる。
【００７９】
（４）前述の実施形態では、複数種の施工業者が各々の施工の際に各自で貫通孔防火措置具Ｔを取り付ける場合を例に示したが、連結具８により貫通孔防火措置具Ｔの複数個を組付けたものを最初に取り付けるようにしてもよい。
【００８０】
（５）取付け手段は、前述の実施形態で示した取付けネジ５に限らず、先端部に膨出部等の係止部を有する金属製又は樹脂製等の連結ピン等であってもよい。
【００８１】
（６）前述の実施形態では、取付けビス９によって壁体Ｗの被取付け面に貫通孔防火措置具Ｔを取付ける場合を例に示したが、ネジや釘等によって壁体Ｗの被取付け面に貫通孔防火措置具Ｔを取付けてもよく、或いは、スタッド１０に溶接する等によって壁体Ｗの被取付け面に貫通孔防火措置具Ｔを取付けてもよい。
【符号の説明】
【００８２】
Ｗ        区画体
Ｈ        貫通孔
Ｐ        長尺体
Ｊ        耐熱性充填材
１        矩形状保持枠部
２        矩形状フランジ部
２ａ      取付け部
４        本体部材
３        フランジ側分離部材
Ｌ１      分離線
６Ａ      枠側分離部材
５        取付け手段
８        連結具
３ａ      差し込み片部（案内手段）
【図１】
0005531366.tif 000002
【図２】
0005531366.tif 000003
【図３】
0005531366.tif 000004
【図４】
0005531366.tif 000005
【図５】
0005531366.tif 000006
【図６】
0005531366.tif 000007
【図７】
0005531366.tif 000008
【図８】
0005531366.tif 000009
【図９】
0005531366.tif 000010
【図１０】
0005531366.tif 000011
【図１１】
0005531366.tif 000012
【図１２】
0005531366.tif 000013
【図１３】
0005531366.tif 000014